(57)【特許請求の範囲】
【請求項１】
下端開口部に吸込側が、上端開口部に吐出側が形成された筒状のシリンダと、
このシリンダの吐出側に設けられ、前記シリンダ内部と連通する吐出室が形成された吐出チャンバと、
その外周部を前記シリンダ内周面に往復摺動可能に形成され、前記シリンダ内を液密に区分するピストンと、
このピストンを前記シリンダ内に位置するその一端部を支持するとともに、前記シリンダ内に挿脱されるピストンロッドと、
前記シリンダ又は前記吐出チャンバの外側に設けられた支点を中心に揺動可能に形成された操作レバーと、
この操作レバーの一端部と前記ピストンロッドの他端部とを連結し、前記操作レバーの揺動運動を前記ピストンロッドの往復運動に変換するリンク機構部と、
前記吐出チャンバの外周面に設けられ、前記ピストンロッドが挿入されるとともに、前記ピストンロッドに連結された前記リンク機構部の一部が下降した際にその一端面が当接可能に弾性体で形成された円筒状のリング部材と、
を備えることを特徴とする手押しポンプ。
【請求項２】
前記リング部材は、樹脂又はゴムで形成されるとともに、前記リング部材の一端面から他方の端面まで設けられたスリットを有していることを特徴とする請求項１に記載の手押しポンプ。
【請求項３】
前記シリンダは、その下端開口部に第１弁室を有し、
前記ピストンは、その内部に第２弁室を有し、
前記第１弁室に設けられ、前記ピストン及び前記下端開口部の流路を形成する第１開口部、この第１開口部の前記上端開口部側に設けられ前記ピストンから前記下端開口部への流路を閉塞可能に形成された第１弁体、及び、前記第１開口部の周縁に設けられ前記第１弁体を当接させる第１弁座、を有する第１逆止弁と、
前記第２弁室に設けられ、前記ピストンを介して前記下端開口部及び前記上端開口部の流路を形成する第２開口部、この第２開口部の前記上端開口部側に設けられ前記上端開口部から前記下端開口部への流路を閉塞可能に形成された第２弁体、及び、前記第２開口部の周縁に設けられ前記第２弁体を当接させる第２弁座、を有する第２逆止弁と、
を具備することを特徴とする請求項１又は請求項２に記載の手押しポンプ。
【請求項４】
前記第１弁体に設けられ、前記ピストンの下面に当接することで前記第１弁体の前記第１弁座から離間可能に形成された第１突起部材と、
前記ピストン及び前記第１逆止弁の間に設けられ、前記第２弁体の下端面に当接することで前記第２弁体を前記第２弁座から離間可能に形成された第２突起部材と、をさらに備えることを特徴とする請求項３に記載の手押しポンプ。
【請求項５】
下端開口部に吸込側が、上端開口部に吐出側が形成された筒状のシリンダと、
このシリンダの吐出側に設けられ、前記シリンダ内部と連通する吐出室が形成された吐出チャンバと、
その外周部を前記シリンダ内周面に往復摺動可能に形成され、前記シリンダ内を液密に区分するピストンと、
このピストンを前記シリンダ内に位置するその一端部が支持するとともに、前記シリンダ内に挿脱されるピストンロッドと、
前記シリンダ又は前記吐出チャンバの外側に設けられた支点を中心に揺動可能に形成された操作レバーと、
この操作レバーの一端部と前記ピストンロッドの他端部とを連結し、前記操作レバーの揺動運動を前記ピストンロッドの往復運動に変換するリンク機構部と、
前記吐出チャンバの外周面に設けられ、前記ピストンロッドが挿入されるとともに、弾性体で形成された円筒状の第１リング部材と、
前記ピストンロッドに連結された前記リンク機構部の端部に設けられ、前記ピストンロッドが挿入されるとともに、前記ピストンロッドに連結された前記リンク機構部の一部が下降した際に前記第１のリング部材の端面及びその相対する端面が当接可能に弾性体で形成された円筒状の第２リング部材と、
を備えることを特徴とする手押しポンプ。
【請求項６】
前記第１リング部材及び前記第２リング部材は、樹脂又はゴムで形成されるとともに、前記リング部材の一端面から他端面まで設けられたスリットを有することを特徴とする請求項５に記載の手押しポンプ。
【請求項７】
前記シリンダは、その内部に第１弁室を有し、
前記ピストンは、その下端開口部に第２弁室を有し、
前記第１弁室に設けられ、前記ピストン及び前記下端開口部の流路を形成する第１開口部、この第１開口部の前記上端開口部側に設けられ前記ピストンから前記下端開口部への流路を閉塞可能に形成された第１弁体、及び、前記第１開口部の周縁に設けられ前記第１弁体を当接させる第１弁座、を有する第１逆止弁と、
前記第２弁室に設けられ、前記ピストンを介して前記下端開口部及び前記上端開口部の流路を形成する第２開口部、この第２開口部の前記上端開口部側に設けられ前記上端開口部から前記下端開口部への流路を閉塞可能に形成された第２弁体、及び、前記第２開口部の周縁に設けられ前記第２弁体を当接させる第２弁座、を有する第２逆止弁と、
を具備することを特徴とする請求項５又は請求項６に記載の手押しポンプ。
【請求項８】
前記第１弁体に設けられ、前記ピストンの下面に当接することで前記第１弁体の前記第１弁座から離間可能に形成された第１突起部材と、
前記ピストン及び前記第１逆止弁の間に設けられ、前記第２弁体の下端面に当接することで前記第２弁体を前記第２弁座から離間可能に形成された第２突起部材と、をさらに備えることを特徴とする請求項７に記載の手押しポンプ。
【発明の詳細な説明】
【技術分野】
【０００１】
本発明は、液体の供給に用いる手押しポンプに関し、特にピストンロッドと摺動部との挟み込み防止に関する。
【背景技術】
【０００２】
現在、家庭用井戸からの水の汲み上げや、地震等の災害時における飲料水の確保等の水の供給に手押しポンプが用いられている。
【０００３】
このような手押しポンプは、主として、一方の端部を吸込側、他方の端部を吐出側としたシリンダの内側に、水を吸い上げるためのピストンを設け、このピストンにピストンロッドを介して往復動させるリンク機構を組み付けた構造が用いられている。
【０００４】
このような構造の手押しポンプには、シリンダの吐出側に吐出チャンバを設け、シリンダ及び吐出チャンバ内の圧力が所定の圧力を確保しながら水が吐出される構造である昇進形手押しポンプ等がある。この昇進形の手押しポンプは、ピストンロッドの端部を吐出チャンバの壁部に設けられた貫通部から外側へ貫通させる。なお、貫通部とピストンロッドとをパッキンでシールし、吐出チャンバ内を密閉させる。この貫通させたピストンロッドの端部にピストンを往復動させる操作レバーを有するリンク機構部を連結させることで構成されている。
【０００５】
このような手押しポンプは、操作レバーを操作すると、リンク機構部を介してピストンロッドが軸心方向に往復動するため、ピストンもシリンダ内部を往復動することとなる。
【０００６】
このピストンの往復動により、井戸等の水源から水をシリンダ内部へと吸い上げ、さらに吐出チャンバに圧力を確保しながら送り込み、吐出チャンバから水が下流へ供給される。
【０００７】
このような手押しポンプには、ピストンロッドのぶれによる、貫通部とピストンロッドとの間からの漏水を防止するものも知られている（例えば特許文献１参照）。
【０００８】
また、寒冷地において、冬場に使用する際に、手押しポンプ内に溜まった水が凍結することで、手押しポンプの特にシリンダ及び吐出チャンバの破壊を防止するために、手押しポンプ内の水抜き、即ち降水機能を有する手押しポンプも知られている。
【特許文献１】特開２００７−６４１０５号公報
【発明の開示】
【発明が解決しようとする課題】
【０００９】
上述したような手押しポンプでは、次のような問題があった。即ち、ピストンロッドと吐出チャンバの貫通部と間には、ピストンロッドが往復動した際に、ピストンロッドが貫通部に干渉しないように隙間が形成されている。手押しポンプは屋外で使用されるため、この隙間に砂塵等が進入し、ピストンロッドの往復動により、シールやピストンロッドの摺動面に傷が付く虞があった。特に軸心方向の傷は、往復動方向と傷の方向が同一であるため、往復動（摺動）時に、傷から吐出チャンバ内の水が漏洩する虞もあった。
【００１０】
また、ピストンロッドとリンク機構部との連結部は、ピストンロッドの径よりも大きい径の受け部を有しており、この受け部と吐出チャンバの貫通部周辺部との間に、物や手指等を挟む虞もあった。
【００１１】
また、降水機能を有する手押しポンプは、ピストンを底着きさせることで降水可能となるものがある。このような手押しポンプであると、揚水時に、誤ってピストンを底着きさせ、シリンダ及び吐出チャンバに溜めた水を降水させてしまい、吐出効率が悪くなる虞もある。
【００１２】
そこで本発明は、水の供給が可能な手押しポンプであって、挟み込みを防止するとともに、揚水時の誤操作をも防止可能なものを提供することを目的としている。
【課題を解決するための手段】
【００１３】
前記課題を解決し目的を達成するために、本発明の手押しポンプは次のように構成されている。
【００１４】
下端開口部に吸込側が、上端開口部に吐出側が形成された筒状のシリンダと、
このシリンダの吐出側に設けられ、前記シリンダ内部と連通する吐出室が形成された吐出チャンバと、その外周部を前記シリンダ内周面に往復摺動可能に形成され、前記シリンダ内を液密に区分するピストンと、このピストンを前記シリンダ内に位置するその一端部に支持するとともに、前記シリンダ内に挿脱されるピストンロッドと、前記シリンダ又は前記吐出チャンバの外側に設けられた支点を中心に揺動可能に形成された操作レバーと、この操作レバーの一端部と前記ピストンロッドの他端部とを連結し、前記操作レバーの揺動運動を前記ピストンロッドの往復運動に変換するリンク機構部と、前記吐出チャンバの外周面に設けられ、前記ピストンロッドの外周面を挿入するとともに、前記ピストンロッドに連結された前記リンク機構部の一部が下降した際にその一端面が当接可能に弾性体で形成された円筒状のリング部材と、を備えることを特徴とする。
【００１５】
下端開口部に吸込側が、上端開口部に吐出側が形成された筒状のシリンダと、このシリンダの吐出側に設けられ、前記シリンダ内部と連通する吐出室が形成された吐出チャンバと、その外周部を前記シリンダ内周面に往復摺動可能に形成され、前記シリンダ内を液密に区分するピストンと、このピストンを前記シリンダ内に位置するその一端部に支持するとともに、前記シリンダ内に挿脱されるピストンロッドと、前記シリンダ又は前記吐出チャンバの外側に設けられた支点を中心に揺動可能に形成された操作レバーと、この操作レバーの一端部と前記ピストンロッドの他端部とを連結し、前記操作レバーの揺動運動を前記ピストンロッドの往復運動に変換するリンク機構部と、前記吐出チャンバの外周面に設けられ、前記ピストンロッドを挿入するとともに、弾性体で形成された円筒状の第１リング部材と、前記ピストンロッドに連結された前記リンク機構部の端部に設けられ、前記ピストンロッドを挿入するとともに、前記ピストンロッドに連結された前記リンク機構部の一部が下降した際に前記第１のリング部材の端面及びその相対する端面が当接可能に弾性体で形成された円筒状の第２リング部材と、を備えることを特徴とする。
【発明の効果】
【００１６】
本発明によれば、水の供給が可能な手押しポンプであって、挟み込みを防止するとともに、揚水時の誤操作を防止可能なものを提供することが可能となる。
【発明を実施するための最良の形態】
【００１７】
以下、本発明の第１の実施の形態に係る手押しポンプ１を図１〜６を用いて説明する。
【００１８】
図１は本発明の第１の実施の形態に係る手押しポンプ１の外観を示す斜視図、図２は同手押しポンプ１の内部構成を模式的に示す部分断面図、図３は同手押しポンプ１に用いられるリング部材８０を示す斜視図、図４は同手押しポンプ１の使用の一例を示す斜視図、図５は同手押しポンプ１の降水機能使用時の一例を模式的に示す部分断面図、図６は同手押しポンプ１の降水機能使用時の要部構成を示す斜視図である。なお、図１、５中Ｅは吐出室を、Ｆは吸込室を示している。
【００１９】
図１〜４に示すように、手押しポンプ１は、吐出室Ｅ及び吸込室Ｆを形成する本体１０と、この本体１０の内部に往復動可能に設けられたピストン部材５０と、このピストン部材５０の後述するピストンロッド５１に連結され、ピストン部材５０を往復動させるリンク機構部７０と、ピストンロッド５１の一部外周面を覆うリング部材８０とを備えている。なお、手押しポンプ１は後述する第１突起部３０及び第２突起部２７により降水機能を有する。
【００２０】
本体１０は、例えば水面に下端部１１ａを対向させることで水面に対して直角に設けられる筒状のシリンダ１１と、このシリンダ１１の上端部（上端開口部）１１ｂに接続される吐出チャンバ１２とを備えている。なお、本体１０であるシリンダ１１と吐出チャンバ１２とは、第１フランジ部１３により接続されることで、それら内部に吐出室Ｅが形成されることとなる。
【００２１】
シリンダ１１は、その内周を後述するピストン５４が摺動可能に形成された円筒部材１５と、この円筒部材１５の下端面に第２フランジ部１６を介して接続された椀形の吸込カバー１７と、円筒部材１５と吸込カバー１７との間に設けられたカバー部材（第２突起部材）１８と、吸込カバー１７に形成された第１弁室１９と、第１弁室１９に設けられた第１逆止弁２０と、を備えている。
【００２２】
円筒部材１５は、その上端側に第１フランジ１３ａが、その下端側に第２フランジ１６ａがそれぞれ形成されており、円筒部材１５の内周面は、表面粗さ及びその軸心に対して円心度が高い精度で形成されている。
【００２３】
吸込カバー１７は、その上端側に設けられた第２フランジ１６ｂと、この第２フランジ１６ｂの内周縁に設けられた円環状の溝部２１と、吸込カバー１７の軸心上の下端に設けられた吸込口（下端開口部）２２と、この吸込口２２に設けられ例えば水中に配設させるホースを接続させるねじ部２３が形成されている。
【００２４】
なお、第２フランジ１６ａと第２フランジ１６ｂとは、ガスケット２４等を介してボルト２５により接続されることで第２フランジ部１６が形成される。
【００２５】
カバー部材１８は、円板状で、円板内に水の流路を形成するために複数設けられた孔部２６と、その中央部に設けられ後述する第２弁体５８の下面に当接する第２突起部２７と、を備えており、第２フランジ１６ｂの溝部２１に設けられている。
【００２６】
第１逆止弁２０は、吸込口２２の上面に設けられた第１弁座２８と、この第１弁座２８の上面にその下面が当接する第１弁体２９と、第１弁体２９の略中心から斜方向に突出し、カバー部材１８の孔部２６から突出する第１突起部３０とを備えている。
【００２７】
吐出チャンバ１２は、吐出部３１ａが接続される吐出口３１と、吐出チャンバ１２の上部壁１２ａに設けられた貫通部３２と、吐出チャンバ１２の下端部に設けられた第１フランジ１３ｂと、吐出チャンバ１２の外表面に設けられた支持部３３とを備えている。
【００２８】
なお、第１フランジ１３ａと第１フランジ１３ｂとは、ガスケット２４等を介してボルト２５等により接続されることで第１フランジ部１３が形成される。
【００２９】
貫通部３２は、ピストンロッド５１が貫通する貫通孔３４と、パッキン部材３５が収納されるシール溝３６と、パッキン部材３５の上部を覆う案内具３７とを備えている。
【００３０】
パッキン部材３５は、例えば断面が逆Ｙ形をなした環状に形成され、その内面側の下端部にリップ部を有し、ピストンロッド５１の摺動面と弾性的に接触可能に形成されている。このリップ部がピストンロッド５１の外周（摺動）面と摺接することによって、貫通孔３４とピストンロッド５１との間をシールする。
【００３１】
案内具３７は、軸心部に貫通穴３８を有し、シール溝３６の上部に設けられたねじ部３６ａに螺号され、パッキン部材３５の軸心方向の動きを規制可能に形成されている。また、貫通穴３８は、貫通穴３８にピストンロッド５１が貫通した際に所定の隙間を有する径に形成されている。また、案内具３７の上面であって貫通穴３８の周部には、リング部材８０が配置されることとなる。
【００３２】
ピストン部材５０は、吐出室Ｅから貫通孔３４、パッキン部材３５及び貫通穴３８を介して本体１０の外部へと延設されたピストンロッド５１と、このピストンロッド５１の下端側に固定されたピストン部５２と、ピストンロッド５１の上端側に設けられ後述するリンク部材７２と連結可能に形成された連結部６０とを備えている。
【００３３】
ピストンロッド５１は、円柱状で、その外周面の少なくともパッキン部材３５と摺動する部位は、表面粗さが高精度に形成されている。
【００３４】
ピストン部５２は、例えば、ピストンロッド５１の下端側に接続されたピストンヨーク５３と、ピストンヨーク５３に設けられ、シリンダ１１内周面を摺動可能に形成されたピストン５４と、ピストン５４をピストンヨーク５３に固定させるピストン押え５５を備えている。
【００３５】
ピストンヨーク５３は、例えばピストンロッド５１を中心に四方向に延設されており、各ピストンヨーク５３間は間隔を有する配置で設けられている。これにより、ピストン部５２の上面は吐出室Ｅ中に位置することとなる。
【００３６】
ピストン５４は、例えばゴム等の樹脂で形成され、弾性変形可能に形成されているとともに、シリンダ１１内部をピストン５４により区分可能に形成されている。
【００３７】
ピストン押え５５は、ピストン５４をピストンヨーク５３に固定するとともに、ピストン押え５５の中央部には、開口部５５ａを有する。この開口部５５ａの上端面は第２弁座５６が形成されている。
【００３８】
このピストン５４の中心側であって、ピストンヨーク５３とピストン押え５５との間の空間に、第２弁室５７が形成される。この第２弁室５７内には、第２弁座５６に下面が当接する第２弁体５８を備える第２逆止弁５９が備えられている。
【００３９】
連結部６０は、厚み方向に軸受部６１を有し、後述するリンク部材７２と連結させる連結軸６２が挿入可能に形成されている。
【００４０】
リンク機構部７０は、吐出チャンバ１２の外側部に設けられた支持部３３を中心に回動可能に支持されたレバー部材（操作レバー）７１と、レバー部材７１に接続され、ピストンロッド５１の連結部６０を挟み込むように連結軸６２を介して２つ連結されるリンク部材７２とを備えている。
【００４１】
レバー部材７１は、レバー部材７１の略中心が支持部３３に挿入された支軸７３により支持されている。また、このレバー部材７１の、支軸７３を中心に本体１０側端部と対向する端部には、差込形の締結部７４を介して、操作ロッド７５が連結されている。
【００４２】
支軸７３は、シリンダ１１の軸心方向と直交する方向で、支持部３３に挿入されており、レバー部材７１の全体を上下（軸心）方向に沿って回動可能に形成されている。
【００４３】
締結部７４は、筒形のロッド差込部７４ａと、ロッド差込部７４ａの内外に進退可能に螺挿された締結用ボルト７４ｂを備えている。このロッド差込部７４ａに操作ロッド７５の端部を差込み、締結用ボルト７４ｂを螺挿することで操作ロッド７５を締結部７４に固定可能に形成されている。
【００４４】
リング部材８０は、ピストンロッド５１の外径より若干大きい内径を有する円筒状に形成され、リング部材８０の径方向及び軸心方向に一箇所設けられたスリット８１を有している。また、リング部材８０は、弾性部材、例えば合成ゴムや天然ゴム等のゴムにより形成されている。なお、ゴムではなく他の樹脂等で形成されていてもよい。
【００４５】
リング部材８０は、スリット８１部を互いに離間方向に広げることで、内径部を開口可能に形成されており、ピストンロッド５１の外周面に着脱自在に形成されている。
【００４６】
このように構成された手押しポンプ１では、使用しない初期（待機）状態においては、図２に示すように、連結部６０の下面がリング部材８０の上面に当接する。このため、初期状態では、レバー部材７１及び操作ロッド７５は、シリンダ１１の軸心に対して操作ロッド７５側が離間する方向に例えば５°程度傾斜している状態となる。即ち、ピストン５４が底着き（下死点）の位置よりも若干上方向に移動した位置となる。
【００４７】
次に、手押しポンプ１を用いて水源、例えば井戸等から水を揚水させる場合の動作説明をする。  
まず、使用者は、操作ロッド７５を支軸７３を中心に下方に回動させる。操作ロッド７５が下方に回動されると、リンク機構は上方に移動することとなる。このとき、図４に示すようにピストンロッド５１は、ピストン５４外径とシリンダ１１内径、及び、貫通部３２との二点で狭持されているため、軸心方向に沿って上方へ移動する。
【００４８】
このピストンロッド５１の上方移動に伴ってピストン部５２も上方へと移動することとなる。ピストン部５２が上方へ移動すると、ピストン部５２の下面、吸込カバー１７内周面及び第１逆止弁２０上面の空間である吸込室Ｆの容積が大きくなる。
【００４９】
しかし、このとき、第１逆止弁２０により吸込口２２は閉塞されているため、吸込室Ｆの圧力が減少することとなる。これにより、第１逆止弁２０の下面側の圧力が吸込室Ｆの圧力よりも高くなると、第１逆止弁２０が上方に移動し、吸込口２２を開口させる。これにより吸込室Ｆに水が流入することとなる。
【００５０】
このようにピストン部５２が上死点まで移動するまで、吸込室Ｆに水が吸込まれ、吸込室Ｆに水が揚水される。なお、このとき、第２逆止弁５９の第２弁体５８は、第２弁座５６に第２弁体５８の下面が当接、即ちピストン押え５５の開口部５５ａを閉塞している。このため、吐出室Ｅへは水は移動しない。
【００５１】
次に、使用者は、操作ロッド７５を支軸７３を中心に上方に回動させる。操作ロッド７５が上方に回動されると、リンク機構は下方に移動することとなる。このとき、ピストンロッド５１は、軸心方向に沿って下方へ移動する。
【００５２】
このピストンロッド５１の下方移動に伴って、ピストン部５２も下方へと移動することとなる。ピストン部５２が下方へ移動すると、吸込室Ｆの圧力が高くなり、第１逆止弁２０は閉塞方向に押圧されるとともに、第２逆止弁５９は開放方向に押圧される。これにより、吸込室Ｆの水は、吐出室Ｅへと揚水されることとなる。
【００５３】
このように、操作ロッド７５の回動操作を繰り返すことで、支軸７３を支点にレバー部材７１とリンク部材７２とが伸縮動作となり、ピストンロッド５１が上下方向へ移動（昇降）し、この昇降に伴いピストン部５２も上下方向へ移動する。これにより、第１逆止弁２０及び第２逆止弁５９の開閉が行われ、水が揚水され、吐出口３１から吐出される。なお、このとき、ピストン部５２が下方へ移動する位置は、下死点ではなく、連結部６０の下面がリング部材８０の上面に当接する位置までとなる。
【００５４】
なお、ピストンロッド５１の昇降時に、リング部材８０は、リング部材８０の内径がピストンロッド５１の外径よりも若干大きく形成されているため、図４に示すようにリング部材８０は案内具３７の上面に常時位置することとなる。
【００５５】
次に、手押しポンプ１を使用後、吸込室Ｆ及び吐出室Ｅに溜まった水を降水させる場合の動作を図５及び図６を用いて説明する。  
まず、リング部材８０をスリット８１から開口させて案内具３７の上面から離脱させる。次に、操作ロッド７５を軸心方向（上方）へと回動させる。この回動により、図２に示すようにレバー部材７１及び操作ロッド７５は軸心へと近接する方向へ例えば５°程度傾斜することとなる。
【００５６】
これにより、連結部６０の下面は、案内具３７の上面に当接し、ピストン部５２が下死点へと移動することとなる。このようにピストン部５２が下死点に移動すると、第２弁体５８の下面とカバー部材１８の第２突起部２７、及び、ピストン押え５５の下面と第１弁体２９の第１突起部３０とがそれぞれ当接し、さらに押圧されることとなる。
【００５７】
第２弁体５８の下面が第２突起部２７により押圧されると、第２弁体５８と第２弁座５６との間に流路が形成され、吐出室Ｅと吸込室Ｆとは連続する空間となる。
【００５８】
同様に、第１弁体２９の第１突起部３０がピストン押え５５により押圧されると、第１突起部３０が第１弁体２９の中心より偏心した位置で下方に押圧されるため、第１弁体２９はその下面の一部を除いて第１弁座２８から離間することとなる。このように吸込室Ｆと吸込口２２とが連続する空間となる。
【００５９】
このように、第１弁体２９及び第２弁体５８をそれぞれ開放させることで、吸込口２２から吐出室Ｅまでが連続する１つの空間となり、大気圧に押されることで、手押しポンプ１内に溜まった水は水源へと逆流（降水）することとなる。
【００６０】
降水終了後、再度リング部材８０を案内具３７の上面に配置させることで、第１弁体２９と第２弁体５８とは第１弁座２８と第２弁座５６とをそれぞれ閉塞する。
【００６１】
このような構成の手押しポンプ１とすることで、リング部材８０を案内具３７の上面に設け、リング部材８０の上面と連結部６０の下面とを当接させることで、手押しポンプ１により水を揚水させる際に、降水位置までピストン部５２を移動させることがない。このため、効率よく揚水を行うことが可能となる。
【００６２】
また、降水時には、リング部材８０をスリット８１から開口して案内具３７から脱離させるだけでよく、リング部材８０の着脱も効率もよく行うことが可能であるため、作業性を向上させることもできる。
【００６３】
また、リング部材８０の交換時においても、リング部材８０の着脱のみでよく、容易にリング部材８０の交換が可能となる。
【００６４】
さらに、リング部材８０は、ゴムで形成されているため、リング部材８０と連結部６０との間に指等を挟めたとしても、リング部材８０が衝撃を吸収するとともに、弾性変形するため、怪我の防止にもなる。また、ピストンロッド５１と案内具３７との隙間への衣類や指等の挟み込みも防止することが可能となる。
【００６５】
また、ピストンロッド５１と案内具３７との隙間へ砂塵等が侵入することをリング部材８０により防止することが可能となるため、ピストンロッド５１及びパッキン３５を傷つけることを防止することが可能となる。このため、傷によるピストンロッド５１とパッキン３５との摺動面からの水の漏洩を防止することが可能となる。このように、漏洩を防止することが可能となることで、手押しポンプ１の揚水効率を向上させるとともに、信頼性の向上にもつながる。
【００６６】
上述したように、本実施の形態に係る手押しポンプ１によれば、誤操作による降水及び漏洩の防止により、ポンプの効率を向上させるとともに、信頼性の向上が可能となる。また、連結部６０と案内具３７との間の挟み込みを防止し、連結部６０下面とリング部材８０とに指等を挟みこんだ際の衝撃及び圧力の低減とすることで、安全性の向上とすることが可能となる。
【００６７】
次に、本発明の第２の実施の形態に係る手押しポンプ１Ａを図７を用いて説明する。  
図７は本発明の第２の実施の形態に係る手押しポンプ１Ａのリング部材８２を示す斜視図である。なお、図７において図１〜６と同一機能部分には同一符号を付し、その詳細な説明は省略する。
【００６８】
手押しポンプ１Ａのリング部材８２は、案内具３７の上面に設けられた第１リング部材８３と、連結部６０の下面にその上面が当接された第２リング部材８４とを備えている。
【００６９】
第１リング部材８３は、ピストンロッド５１の外径より若干大きい内径を有する円筒状に形成され、第１リング部材８３の径方向及び軸心方向に一箇所設けられたスリット８５を有している。また、第１リング部材８３は、弾性部材、例えばゴムにより形成されている。
【００７０】
第２リング部材８４は、ピストンロッド５１の外径と同一の内径又は若干小さい内径に形成され、第２リング部材８４の径方向及び軸心方向に一箇所設けられたスリット８６を有している。また、第２リング部材８４は、ゴムにより形成されている。
【００７１】
このように構成された手押しポンプ１Ａによれば、揚水動作時に、第１リング部材８３と第２リング部材８４との厚み分、ピストン部５２はその下死点より上方まで移動し、上下に摺動することとなる。このため、手押しポンプ１Ａにより水を揚水させる際に、降水位置までピストン部５２を移動させることがなく、効率よく揚水を行うことが可能となる。
【００７２】
また、降水時には、第１及び第２リング部材８３、８４をスリット８５、８６から開口して案内具３７から脱離させるだけでよく、作業性を向上させることもできる。
【００７３】
また、第１及び第２リング部材８３、８４の交換時においても、第１、第２リング部材８３、８４の着脱のみでよく、容易に第１及び第２リング部材８３、８４の交換が可能となる。
【００７４】
さらに、第１及び第２リング部材８３、８４は、ゴムで形成されており、第１リング部材８３と第２リング部材８４との間に指等を挟めたとしても、上下が第１及び第２リング部材８３、８４であるため、より衝撃を吸収するとともに、弾性変形により、怪我の防止になる。また、ピストンロッド５１と案内具３７との隙間への衣類や指等の挟み込みも防止することが可能となる。
【００７５】
また、ピストンロッド５１と案内具３７との隙間へ砂塵等が侵入することを第１リング部材８３により防止することが可能となるため、ピストンロッド５１及びパッキン３５を傷つけることを防止することが可能となる
また、第２リング部材８４の内径をピストンロッド５１の外径と同一又は若干小さい径とすることで、第２リング部材８４の復元力によりピストンロッド５１に固定することが可能となる。このため、特に第２リング部材８４の取り付け部材を設ける必要がなく、コストの増大を防止することも可能となる。
【００７６】
上述したように、本実施の形態に係る手押しポンプ１Ａによれば、より、安全性の向上とすることが可能となる。
【００７７】
なお、本発明は前記実施の形態に限定されるものではない。例えば、上述した手押しポンプ１、１Ａは、降水機能を有している構成としたが、この降水機能を有さない手押しポンプでも適用可能である。これは、例えば凍結の虞のない温暖地域で使用する場合には、手押しポンプの製造コストをより低減させることが可能となる。
【００７８】
また、上述したリング部材８０、第１及び第２リング部材８３、８４では、スリット８１、８５、８６をそれぞれ有するとしたが、これはスリットを設けず、手押しポンプの組立時にピストンロッド５１に組み付けるような構成としても良い。なお、この際、降水機能を有する手押しポンプに用いる場合には、降水させるために、操作ロッド７５の回動時に通常時よりも強い力で回動させることで、リング部材を弾性変形させて厚みを薄くする。これにより、降水可能な位置までピストン部５２を移動させれば、手押しポンプ内の水を降水させることが可能となる。
【００７９】
また、上述したリング部材８０、第１及び第２リング部材８３、８４ではとくに固定部材を設けない構成としたが、これを接着剤や螺子等により固定してもよい。固定することで、ピストンロッド５１の上下移動に確実に追従しなくなるため、よりピストンロッド５１と貫通部３２との間に砂塵が侵入することを防止することが可能となる。
【００８０】
さらに、上述した各リング部材８０、８３、８４をゴムで形成するとしたが、これは弾性を有する他の樹脂材でも適用でき、さらに、バネ等を用いて、挟み込み防止として外部に蛇腹等で覆う構成としても適用できる。
【００８１】
また、上述した吐出口３１にリリーフ弁又は逆止弁を設ける構成としても適用できる。これにより、より水圧を高めた状態で水を吐出することが可能となる。この他、本発明の要旨を逸脱しない範囲で種々変形実施可能である。
【図面の簡単な説明】
【００８２】
【図１】本発明の第１の実施の形態に係る手動ポンプの外観を示す斜視図。
【図２】同手押しポンプの内部構成を模式的に示す部分断面図。
【図３】同手押しポンプに用いられるリング部材を示す斜視図。
【図４】同手押しポンプの使用の一例を示す斜視図。
【図５】同手押しポンプの降水機能使用時の一例を模式的に示す部分断面図。
【図６】同手押しポンプの降水機能使用時の要部構成を示す斜視図。
【図７】本発明の第２の実施の形態に係る手押しポンプのリング部材を示す斜視図。
【符号の説明】
【００８３】
１、１Ａ…手押しポンプ、１０…本体、１１…シリンダ、１１ａ…下端部、１１ｂ…上端部、１２…吐出チャンバ、１３…第１フランジ部、１５…円筒部材、１６…第２フランジ部、１７…吸込カバー、１８…カバー部材、２０…第１逆止弁、２２…吸込口、２７…第２突起部、３０…第１突起部、３１…吐出口、３２…貫通部、３４…貫通孔、３５…パッキン部材、３７…案内具、５０…ピストン部材、５１…ピストンロッド、５２…ピストン部、５３…ピストンヨーク、５４…ピストン、５９…第２逆止弁、６０…連結部、７０…リンク機構部、７１…レバー部材（操作レバー）、７２…リンク部材、７５…操作ロッド、８０…リング部材、８１，８５，８６…スリット、８２…第１リング部材、８３…第２リング部材、Ｅ…吐出室、Ｆ…吸込室。
【図１】
0004954807.tif 000002
【図２】
0004954807.tif 000003
【図３】
0004954807.tif 000004
【図４】
0004954807.tif 000005
【図５】
0004954807.tif 000006
【図６】
0004954807.tif 000007
【図７】
0004954807.tif 000008